(57)【要約】      （修正有）【課題】建物の外壁と仮設足場との連結を簡易迅速に行えるようにする。【解決手段】仮設足場用連結器具１００を、支持部材１０、第１のストッパー部材１４、スライド部材２０、ボルト部材３０、第２のストッパー部材３４とから構成し、第１のストッパー部材１４を建物の外壁５０における立ち上がり部５１の内面に当接した状態のまま、スライド部材２０を支持部材１０の一端方向にスライドさせることによって、第２のストッパー部材３４を立ち上がり部５１の外面に当接し、ボルト部材３０を締付方向に回転させることで、第１及び第２のストッパー部材１４、３４により立ち上がり部５１を挟持するとともに、スライド部材２０を支持部材１０の所定の位置で固定するようにする。【選択図】図４
2015148120.tif 000002
【特許請求の範囲】
【請求項１】
建物の外壁と仮設足場とを連結する仮設足場用連結器具において、
該仮設足場を支持するものであって、該建物の外壁における立ち上がり部の上端部に載置される、一端側が屈曲してなる支持部材と、
該支持部材の一端側の端部に設けられ、該立ち上がり部の内面に当接される第１のストッパー部材と、
該支持部材の他端側の端部に設けられ、該仮設足場を該支持部材に挿着する挿着部材と、
該支持部材にスライド可能に連結され、一端に雌ねじ部が形成されるスライド部材と、
該スライド部材の雌ねじ部に螺合可能な雄ねじ部を有し、該雌ねじ部と該雄ねじ部を螺合することで該スライド部材に連結されるボルト部材と、
該ボルト部材の一端側の端部に設けられ、該立ち上がり部の外面に当接される第２のストッパー部材とを備え、
該第１のストッパー部材を該立ち上がり部の内面に当接した状態のまま、該スライド部材を該支持部材の一端方向にスライドさせることによって、該第２のストッパー部材を該立ち上がり部の外面に当接し、該ボルト部材を締付方向に回転させることで、該第１及び第２のストッパー部材により該立ち上がり部を挟持するとともに、該スライド部材を該支持部材の所定の位置で固定するようにした仮設足場用連結器具。
【請求項２】
該支持部材の他端側両側面にはガイドレール部が形成されるとともに、
該スライド部材の他端には該ガイドレール部をスライドするスライダが形成されていること
を特徴とする請求項１に記載の仮設足場用連結器具。
【請求項３】
該ボルト部材の他端側に該ボルト部材を把持するグリップ部が形成されていることを特徴とする請求項１又は２に記載の仮設足場用連結器具。
【請求項４】
該ボルト部材の頭部の形状が六角であることを特徴とする請求項１乃至３のいずれかに記載の仮設足場用連結器具。
【請求項５】
該挿着部材が該支持部材に回動自在に設けられていることを特徴とする請求項１乃至４のいずれかに記載の仮設足場用連結器具。
【発明の詳細な説明】
【技術分野】
【０００１】
本発明は、建物の外壁と仮設足場とを連結する仮設足場用連結器具に関する。
【背景技術】
【０００２】
従来、建物の外壁と仮設足場とを連結するものとして、仮設足場の壁つなぎを建物の外壁（例えば、ベランダの手摺りやパラペット等）に取り付けるための壁つなぎ取付金具が知られている。
【０００３】
この壁つなぎ取付金具として、特許文献１には、壁つなぎに連結される第１管体の外端側ボルト挿通孔から挿通した締付用ボルトの先端部を、第１管体よりも径小で、第１管体内に伸縮自在に嵌合される第２管体の内端側ネジ孔に螺入し、このボルトを正逆回転させることで、両管体を伸縮させることのできる壁つなぎ取付金具が記載されている。
【０００４】
この特許文献１に記載されている壁つなぎ取付金具は、両管体の夫々外端部に下向きに突設される挟持片を建物外壁の突起部に跨がらせ、締付用ボルトを締付方向に回転させることで、両管体を収縮させて、両挟持片で建物外壁の突起部を挟着固定するようにしているものである。
【先行技術文献】
【特許文献】
【０００５】
【特許文献１】実用新案登録第３１６３９１９号公報
【発明の概要】
【発明が解決しようとする課題】
【０００６】
しかし、特許文献１に記載されている壁つなぎ取付金具は、建物の外壁に壁つなぎ取付金具を取り付ける際、第１管体の挟持片と第２管体の挟持片との離間距離を、建物外壁の突起部の幅寸法に合わせるものとしているが、これら挟持片の離間距離の調整を締付用ボルトの回転により行うことから、係る離間距離の調整に時間がかかり、迅速に壁つなぎ取付金具を建物外壁に取り付けることができない（両管体は、ボルトの回転の動きに合わせて、ゆっくりと伸縮するため）。
【０００７】
また、特許文献１に記載されている壁つなぎ取付金具は、部品数が多く、構造も複雑であるため、製造コストが増大するという問題がある。
【０００８】
そこで、本発明は、上記点に鑑みてなされたものであり、簡易迅速に建物の外壁と仮設足場との連結を可能にし、部品数が少なく、構造もシンプルな仮設足場用連結器具を提供することを目的とするものである。
【課題を解決するための手段】
【０００９】
請求項１の発明に係る仮設足場用連結器具は、建物の外壁と仮設足場とを連結する仮設足場用連結器具において、該仮設足場を支持するものであって、該建物の外壁における立ち上がり部の上端部に載置される、一端側が屈曲してなる支持部材と、該支持部材の一端側の端部に設けられ、該立ち上がり部の内面に当接される第１のストッパー部材と、該支持部材の他端側の端部に設けられ、該仮設足場を該支持部材に挿着する挿着部材と、該支持部材にスライド可能に連結され、一端に雌ねじ部が形成されるスライド部材と、該スライド部材の雌ねじ部に螺合可能な雄ねじ部を有し、該雌ねじ部と該雄ねじ部を螺合することで該スライド部材に連結されるボルト部材と、該ボルト部材の一端側の端部に設けられ、該立ち上がり部の外面に当接される第２のストッパー部材とを備え、該第１のストッパー部材を該立ち上がり部の内面に当接した状態のまま、該スライド部材を該支持部材の一端方向にスライドさせることによって、該第２のストッパー部材を該立ち上がり部の外面に当接し、該ボルト部材を締付方向に回転させることで、該第１及び第２のストッパー部材により該立ち上がり部を挟持するとともに、該スライド部材を該支持部材の所定の位置で固定するようにしたことを特徴とする。
【００１０】
請求項２の発明に係る仮設足場用連結器具は、請求項１に記載の発明に係る仮設足場用連結器具において、該支持部材の他端側両側面にはガイドレール部が形成されるとともに、該スライド部材の他端には該ガイドレール部をスライドするスライダが形成されていることを特徴とする。
【００１１】
請求項３の発明に係る仮設足場用連結器具は、請求項１又は２に記載の発明に係る仮設足場用連結器具において、該ボルト部材の他端側に該ボルト部材を把持するグリップ部が形成されていることを特徴とする。
【００１２】
請求項４の発明に係る仮設足場用連結器具は、請求項１乃至３のいずれかに記載の発明に係る仮設足場用連結器具において、該ボルト部材の頭部の形状が六角であることを特徴とする。
【００１３】
請求項５の発明に係る仮設足場用連結器具は、請求項１乃至４のいずれかに記載の発明に係る仮設足場用連結器具において、該挿着部材が該支持部材に回動自在に設けられていることを特徴とする。
【発明の効果】
【００１４】
請求項１に記載の発明は、上記構成のとおり、スライド部材が支持部材にスライド可能に連結されていることから、第１のストッパー部材と第２のストッパー部材との離間距離を迅速に調整することができ、かつ、その後、強固に締め付け固定することができる。このため、本発明では、仮設足場用連結器具を建物の外壁に連結する際、第１のストッパー部材と第２のストッパー部材との離間距離を、迅速に建物の外壁における立ち上がり部の幅寸法に合わせることができる。
【００１５】
また、本発明では、ボルト部材が、スライド部材の一端に形成される雌ねじ部を介して、スライド部材と連結されていることから、ボルト部材を締付方向に回転させることで、迅速に仮設足場用連結器具全体を建物の外壁における立ち上がり部に連結固定することができる。
【００１６】
請求項２に記載の発明は、支持部材の他端側両側面にガイドレール部が形成されるとともに、スライド部材の他端にはガイドレール部をスライドするスライダが形成されていることから、第１のストッパー部材と第２のストッパー部材との離間距離を、より迅速に建物の外壁における立ち上がり部の幅寸法に合わせることができる。
【００１７】
請求項３に記載の発明は、ボルト部材の他端側にボルト部材を把持するグリップ部が形成されていることから、作業者は、締付工具を使わずに、容易にボルト部材の締付作業を行うことができる。
【００１８】
請求項４に記載の発明は、ボルト部材の頭部の形状を六角としていることから、作業者（仮設足場用連結器具を建物の外壁に連結し、仮設足場を設置する者。以下同じ。）は、仮設足場を構成する単管パイプ（以下、「単管パイプ」という）を相互に連結するパイプクランプ（以下、「パイプクランプ」という）の締付作業の際に使用する工具を用いて、ボルト部材の締付作業を行うことができる。これにより、本発明では、効率よく仮設足場用連結器具を用いて、建物の外壁と仮設足場とを連結することができる（効率よく仮設足場を設置することができる）。
【００１９】
請求項５に記載の発明は、挿着部材が支持部材に回動自在に設けられていることから、建物の外壁と仮設足場との距離や仮設足場の設計状況等に応じて、柔軟に建物の外壁と仮設足場とを連結させることができる。
【図面の簡単な説明】
【００２０】
【図１】本発明の実施例１に係る仮設足場用連結器具の正面図である。
【図２】本発明の実施例１に係る仮設足場用連結器具のスライド部材を表す斜視図である。
【図３】本発明の実施例１に係る仮設足場用連結器具のＡ−Ａ線断面図である。
【図４】本発明の実施例１に係る仮設足場用連結器具を用いて、建物の外壁と仮設足場とを連結している状態を表す図である。
【図５】本発明の実施例１に係る仮設足場用連結器具の支持部材の変形例を表す正面図である。
【図６】本発明の実施例１に係る仮設足場用連結器具の支持部材の変形例を表す正面図である。
【発明を実施するための形態】
【００２１】
以下、図面を用いて本発明の詳細を説明する。
【実施例１】
【００２２】
まず、図１から図３を用いて、本発明の実施例１に係る仮設足場用連結器具１００の形態について説明する。
【００２３】
図１は本発明の実施例１に係る仮設足場用連結器具の正面図であり、図２は本発明の実施例１に係る仮設足場用連結器具のスライド部材を表す斜視図である。また、図３は本発明の実施例１に係る仮設足場用連結器具のＡ−Ａ線断面図である。
【００２４】
仮設足場用連結器具１００は、支持部材１０、スライド部材２０、ボルト部材３０及び挿着部材４０を備える（図１）。
【００２５】
［支持部材１０］
支持部材１０は、図１に示すとおり、本体部１１、第１屈曲部１２及び第２屈曲部１３から構成される。これら本体部１１、第１屈曲部１２及び第２屈曲部１３は棒状にて形成されており、支持部材１０は、本体部１１、第１屈曲部１２及び第２屈曲部１３のなす角度により、全体がＪ字状となるよう形成される。
【００２６】
具体的には、まず、本体部１１の一端側（挿着部材４０が設けられていない側。以下同じ。）を、本体部１１に対して直角に屈曲することで第１屈曲部１２を形成する。続いて、本体部１１と平行となるよう（第１屈曲部１２に対して直角に）、第１屈曲部１２を、さらに支持部材１０の他端側（挿着部材４０が設けられている側。以下同じ。）へ向けて屈曲することで第２屈曲部１３を形成する。これにより、支持部材１０の一端側はコ字状を呈することから、支持部材１０の全体をＪ字状に形成することができる。
【００２７】
本体部１１の長手方向の長さ（Ｂ１）は概ね３６０ｍｍ、短手方向の長さ（Ｃ１）は概ね２０ｍｍに形成される。また、第１屈曲部１２の長手方向の長さ（Ｂ２）は概ね８０ｍｍ、短手方向の長さ（Ｃ２）は概ね２０ｍｍに形成され、第２屈曲部１３の長手方向の長さ（Ｂ３）は概ね５０ｍｍ、短手方向の長さ（Ｃ３）は概ね２０ｍｍに形成される。また、第２屈曲部１３の支持部材１０の他端側への戻り幅（Ｄ）は概ね３０ｍｍに、本体部１１、第１屈曲部１２及び第２屈曲部１３の各厚みは概ね１０ｍｍに形成される。
【００２８】
支持部材１０の一端側の端部（第２屈曲部１３の先端）には、第１のストッパー部材１４が設けられる。第１のストッパー部材１４は、矩形状からなり、長手方向の長さは概ね５０ｍｍ、短手方向の長さは概ね２５ｍｍ、厚みは概ね５ｍｍで形成される。
【００２９】
なお、支持部材１０（本体部１１、第１屈曲部１２及び第２屈曲部１３）は、例えば、鉄又はアルミニウム合金などの剛性の材料で形成することができる。また、第１のストッパー部材１４は、例えば、ゴム又は合成樹脂などの弾性の材料で形成することができる。
【００３０】
支持部材１０の他端側両側面（本体部１１の両側面）中央部付近には、溝であるガイドレール部１５が設けられる。ガイドレール部１５は、本体部１１の長手方向に沿って形成されており、長手方向の長さは概ね２８０ｍｍ、短手方向の長さは概ね５ｍｍ、レールの溝の深さは概ね１．３ｍｍで形成される。
【００３１】
［スライド部材２０］
スライド部材２０は、図２に示すとおり、全体が棒状にて形成されており、長手方向の長さは概ね８５ｍｍ、短手方向の長さは概ね１５ｍｍ、厚みは概ね１５ｍｍで形成される。
【００３２】
スライド部材２０には、一端に雌ねじ部２２が形成される。雌ねじ部２２は、内径が概ね１５ｍｍの円形の孔２４を有し、円形の孔２４の内壁には雌ねじが形成されている。雌ねじ部２２の外径は概ね２０ｍｍ、厚みは概ね１５ｍｍで形成される。
【００３３】
スライド部材２０の他端には、スライド部材２０を支持部材１０にスライド可能に連結するための連結孔２３が形成されており、連結孔２３の内壁には、対向するスライダ２１、２１が形成されている。
【００３４】
スライド部材２０は、上述のとおり、連結孔２３を介して、支持部材１０にスライド可能に連結される。具体的には、図３に示すとおり、連結孔２３に支持部材１０の本体部１１を挿通するとともに、スライダ２１、２１を本体部１１の両側面に設けられるガイドレール部１５に摺動自在に嵌合するとよい。
【００３５】
連結孔２３及びスライダ２１、２１の各寸法は、スライド部材２０を支持部材１０にスライド可能に連結すべく、本体部１１及びガイドレール部１５の各寸法を考慮して決定される。具体的には、（１）連結孔２３は、長手方向の長さを概ね２２ｍｍ（本体部１１の短手方向の長さ（Ｃ１）を考慮）、短手方向の長さを概ね１２ｍｍ（本体部１１の厚みを考慮）に形成し、（２）スライダ２１、２１は、長手方向の長さを概ね３ｍｍ（ガイドレール部１５の短手方向の長さを考慮）、短手方向の長さを概ね１ｍｍ（ガイドレール部１５のレールの溝の深さを考慮）、厚みを概ね１５ｍｍに形成するとよい。
【００３６】
なお、スライド部材２０は、例えば、鉄又はアルミニウム合金などの剛性の材料で形成することができる。
【００３７】
［ボルト部材３０］
ボルト部材３０は、図１に示すとおり、頭部３１、グリップ部３２、雄ねじ部３３、第２のストッパー部材３４から構成される。
【００３８】
ボルト部材３０の他端側の端部には、頭部３１が設けられる。頭部３１の形状は六角から形成される。このとき、頭部３１の二面幅を１７ｍｍに形成しておくとよい。これにより、作業者は、仮設足場を設置する際、共通の締付工具を用いて、パイプクランプの締付作業とボルト部材３０の締付作業を効率的に行うことができる（一般的にパイプクランプに用いられる締付ナット４１（図１）の二面幅は１７ｍｍのものが多いため）。なお、頭部１の高さは概ね１０ｍｍに形成される。
【００３９】
ボルト部材３０の他端側には、ボルト部材３０を把持するグリップ部３２が形成されている。グリップ部３２は、外径が概ね２０ｍｍ、長さ（グリップ部３２の長手方向の長さ）が概ね１２０ｍｍの円筒状から形成される。
【００４０】
ボルト部材３０の一端側には、雌ねじ部２２に螺合可能な雄ねじ部３３が形成されている。ボルト部材３０は、この雄ねじ部３３を雌ねじ部２２に螺合することで、スライド部材２０に連結される（雄ねじ部３３は雌ねじ部２２の円形の孔２４に挿通され、雌ねじ部２２と螺合される）。
【００４１】
雄ねじ部３３は、外径が概ね１０ｍｍ、長さ（雄ねじ部３３の長手方向の長さ）が概ね７０ｍｍの円筒状から形成され、雄ねじ部３３の全長外周には、概ね２．５ｍｍの高さからなる雄ねじ（ねじ山）が形成されている。
【００４２】
ボルト部材３０の一端側の端部（頭部３１と逆側）には、第２のストッパー部材３４が設けられる。第２のストッパー部材３４は、外径が概ね３０ｍｍ、長さ（第２のストッパー部材３４の厚み）が概ね１０ｍｍの円筒状にて形成される。
【００４３】
なお、頭部３１及び雄ねじ部３３は、例えば、鉄又はアルミニウム合金などの剛性の材料で形成することができる。また、グリップ部３２及び第２のストッパー部材３４は、例えば、ゴム又は合成樹脂などの弾性の材料で形成することができる。
【００４４】
［挿着部材４０］
挿着部材４０は、仮設足場を支持部材１０に挿着するためのものであり、支持部材１０の他端側の端部に設けられる。挿着部材４０は、溶接又はボルトにより固定することで、支持部材１０に取り付けられる。また、挿着部材４０は、支持部材１０に回動自在に設けられることが好ましい。これにより、建物の外壁５０（図４）と仮設足場６０（図４）との距離や仮設足場６０の設計状況等に応じて、柔軟に、仮設足場用連結器具１００を用いて建物の外壁５０と仮設足場６０とを連結させることができる（挿着部材４０を回動させることで、単管パイプ６１（図４）をあらゆる角度で支持部材１０に挿着することができるため）。
【００４５】
挿着部材４０には、公知のパイプクランプを用いることができる。公知のパイプクランプの例としては、例えば、抱持台と、これの一端部に枢着された抱持アームとで単管パイプを抱持し、抱持台の他端部に枢支されたクランプ用螺軸に、締付ナットを螺合することで、単管パイプを締付固定するパイプクランプが挙げられる。なお、パイプクランプの締付ナット４１には、二面幅が１７ｍｍの六角型のものを用いるとよい。これにより、作業者は、仮設足場を設置する際、共通の締付工具を用いて、パイプクランプの締付作業とボルト部材３０の締付作業を効率的に行うことができるようになる。
【００４６】
なお、挿着部材４０は、例えば、鉄又はアルミニウム合金などの剛性の材料で形成することができる。
【００４７】
次に、図４を用いて、本発明の実施例１に係る仮設足場用連結器具１００の使用方法について説明する。
【００４８】
図４は本発明の実施例１に係る仮設足場用連結器具を用いて、建物の外壁と仮設足場とを連結している状態を表す図である。
【００４９】
まず、仮設足場用連結器具１００を用いて、建物の外壁５０と仮設足場６０とを連結する方法について説明する。
【００５０】
作業者は、まず、仮設足場用連結器具１００を建物の外壁５０の立ち上がり部５１（例えば、ベランダの手摺りやパラペット等）に載置する。具体的には、作業者は、支持部材１０の本体部１１を立ち上がり部５１の上端部に載置するとともに、第１のストッパー部材１４を立ち上がり部５１の内面に当接するようにする。このとき、支持部材１０の一端側は、本体部１１、第１屈曲部１２及び第２屈曲部１３のなす角度により、コ字状を呈していることから、支持部材１０の本体部１１を立ち上がり部５１の上端部に載置すれば、第１のストッパー部材１４は、自然と立ち上がり部５１の内面方向を向くことなる。このため、作業者は、支持部材１０の本体部１１を立ち上がり部５１の上端部に載置した後、支持部材１０を立ち上がり部５１の内面方向に引くだけで、容易に第１のストッパー部材１４を立ち上がり部５１の内面に当接させることができる。
【００５１】
そして、作業者は、この状態のまま、第２のストッパー部材３４を立ち上がり部５１の外面に当接させるようにする（すなわち、第１のストッパー部材１４と第２のストッパー部材３４との離間距離を立ち上がり部５１の幅寸法に合わせる）。具体的には、作業者は、グリップ部３２を把持し、第２のストッパー部材３４が立ち上がり部５１の外面に当接するまで、ボルト部材３０を立ち上がり部５１の外面へ向け（第１のストッパー部材１４方向）押し込むようにする。このとき、雌ねじ部２２を介してボルト部材３０と連結されているスライド部材２０は、連結孔２３を介して、支持部材１０にスライド可能に連結されているため、ボルト部材３０は、スライド部材２０とともに立ち上がり部５１の外面方向へスライドすることになる。また、連結孔２３の内壁に形成されるスライダ２１、２１は、ガイドレール部１５に摺動自在に嵌合されていることから、ボルト部材３０は、スライド部材２０を介して迅速にスライドされる。
【００５２】
次に、作業者は、この状態（第１のストッパー部材１４と第２のストッパー部材３４がそれぞれ立ち上がり部５１の内面、外面に当接された状態）のまま、グリップ部３２を把持し、ボルト部材３０を締め付けることで、第１のストッパー部材１４及び第２のストッパー部材３４により、立ち上がり部５１を挟持するとともに、スライド部材２０を支持部材１０の所定の位置で固定するようにする。
【００５３】
具体的には、グリップ部３２を時計回りに回転させることで、ボルト部材３０を締め付けるようにする。これにより、ボルト部材３０は立ち上がり部５１の外面方向へ向けて押し込まれる格好となることから、第２のストッパー部材３４は、立ち上がり部５１の外面に押圧された状態となり、立ち上がり部５１は第１のストッパー部材１４及び第２のストッパー部材３４により挟持されることになる。
【００５４】
また、上記ボルト部材３０の締付作業により、スライド部材２０は支持部材１０の所定の位置で固定される。より詳しくは、ボルト部材３０を締め付けると、ボルト部材３０には、立ち上がり部５１の外面方向への力が加わることから（ボルト部材３０は立ち上がり部５１の外面方向へ押し込まれるため）、ボルト部材３０の雄ねじ部３３に螺合されている雌ねじ部２２には、係るボルト部材３０に加わる力の反作用により、支持部材１０の他端側方向への力が加わる。このため、連結孔２３を介して、支持部材１０にスライド可能に連結されているスライド部材２０は、支持部材１０と連結されている箇所（連結孔２３）を支点に、後方（支持部材１０の他端側方向）へ傾斜する格好となる（図４）。これにより、支持部材１０（本体部１１）は、スライド部材２０の連結孔２３の中で強い力で傾斜させられた状態となることから、スライド部材２０のスライドはロックされた状態となる。（すなわち、スライド部材２０は支持部材１０の所定の位置で固定される）。
【００５５】
このように、ボルト部材３０の締付作業を行えば、簡易迅速に仮設足場用連結器具１００を建物の外壁５０の立ち上がり部５１に連結させることができる。なお、仮設足場用連結器具１００と建物の外壁５０の立ち上がり部５１との連結強度をさらに高めたい場合には、締付工具を用いて、ボルト部材３０の頭部３１をさらに締め付けるようにするとよい。
【００５６】
最後に、作業者は、支持部材１０の他端側の端部に設けられる挿着部材４０に、足場板６２が連結される仮設足場６０を挿着する（仮設足場６０を構成する単管パイプ６１を挿着する）。このとき、挿着部材４０を支持部材１０に回動自在に設けておけば、建物の外壁５０と仮設足場６０との距離や仮設足場６０の設計状況等に応じて、柔軟に、仮設足場用連結器具１００を用いて建物の外壁５０と仮設足場６０とを連結させることができる
【００５７】
次に、建物の外壁５０及び仮設足場６０から仮設足場用連結器具１００を取り外す方法について説明する。
【００５８】
仮設足場用連結器具１００は、上述の手順と逆の手順を行うことで、建物の外壁５０及び仮設足場６０から取り外すことができる。具体的には、まず、作業者は、挿着部材４０から仮設足場６０（単管パイプ６１）を取り外し、続いて、ボルト部材３０を反時計回りに回転させる。そして、作業者は、グリップ部３２を把持し、ボルト部材３０を、スライド部材２０を介して支持部材１０の他端側へスライドさせることで、第２のストッパー部材３４を立ち上がり部５１の外面から引き離すようにする。最後に、作業者は、仮設足場用連結器具１００を建物の外壁５０の立ち上がり部５１から取り外せばよい。
【００５９】
このように、本発明では、雌ねじ部２２を介してボルト部材３０と連結されているスライド部材２０が支持部材１０にスライド可能に連結されていることから、ボルト部材３０を建物の外壁５０の立ち上がり部５１の外面方向へ押し込むだけで、第１のストッパー部材１４と第２のストッパー部材３４との離間距離を、迅速に建物の外壁５０における立ち上がり部５１の幅寸法に合わせることができる。なお、本発明では、スライダ２１、２１が、支持部材１０の本体部１１の両側面に設けられるガイドレール部１５に摺動自在に嵌合されていることから、より迅速に第１のストッパー部材１４と第２のストッパー部材３４との離間距離を調整することもできる（スライド部材２０のスライドが迅速に行われるため）。
【００６０】
また、本発明では、ボルト部材３０を締付方向に回転させるだけで（時計回りに回転させる）、第１及び第２のストッパー部材１４、３４により、立ち上がり部５１を挟持することができるとともに、スライド部材２０を支持部材１０の所定の位置で固定することができることから、迅速に仮設足場用連結器具１００を建物の外壁５０における立ち上がり部５１に連結固定することができる。
【００６１】
さらに、本発明では、ボルト部材３０の他端側にボルト部材３０を把持するグリップ部３２が形成されていることから、作業者は、締付工具を使わずに、容易にボルト部材３０の締付作業を行うことができる（より迅速に仮設足場用連結器具１００を建物の外壁５０における立ち上がり部５１に連結固定することが可能となる）。
【００６２】
加えて、本発明では、ボルト部材３０の頭部３１の形状が六角であり、二面幅が１７ｍｍとなっていることから、作業者は、仮設足場を設置する際、共通の締付工具を用いて、パイプクランプの締付作業とボルト部材３０の締付作業とを効率的に行うことができる（より迅速に仮設足場用連結器具１００を用いて、建物の外壁５０と仮設足場６０とを連結することができる）。
【００６３】
最後に、本発明は、挿着部材４０が支持部材１０に回動自在に設けられていることから、建物の外壁５０と仮設足場６０との距離や仮設足場６０の設計状況等に応じて、柔軟に、建物の外壁５０と仮設足場６０とを連結させることができる
【００６４】
図５は、支持部材の変形例を表す正面図である。本実施例では、支持部材１０を、本体部１１、第１屈曲部１２及び第２屈曲部１３のなす角度により、全体がＪ字状となるように形成するものとしているが、例えば、これを、全体がＬ字状となるように形成することもできる。具体的には、図５に示すように、支持部材７０の本体部７１の一端側を本体部７１に対して直角に屈曲することで第１屈曲部７２を形成し、支持部材７０の全体をＬ字状となるように形成する。
【００６５】
図６は、支持部材の他の変形例を表す正面図である。本実施例では、支持部材１０の一端側がコ字状を呈する格好となっているが、例えば、これを、Ｃ字状となるよう形成することもできる。具体的には、図６に示すように、支持部材８０の本体部８１の一端側を下方に湾曲させることで第１屈曲部８２を形成し、支持部材８０の一端側をＣ字状となるよう形成する（支持部材８０は全体がＪ字状となる）。
【００６６】
さらに、本実施例では、仮設足場用連結器具１００を上記寸法にて形成するものとしているが、これを他の寸法で形成してもよい。例えば、仮設足場用連結器具１００自体を大きめに形成したい場合には、各部材（支持部材１０、スライド部材２０及びボルト部材３０等、仮設足場用連結器具１００を構成する全ての部材等）の寸法を上記寸法よりも全体的に５ｍｍから２０ｍｍ程度、大きくすることができる。なお、仮設足場用連結器具１００の機能を損なわない範囲であれば、仮設足場用連結器具１００自体を小さめに形成することもできる。
【００６７】
本実施例では、第１のストッパー部材１４を矩形状に、第２のストッパー部材３４を円筒状に形成するものとしているが、第１及び第２のストッパー部材１４、３４により、立ち上がり部５１を挟持することができるのであれば、これらの形状を他の形状で形成することもできる。例えば、第１のストッパー部材１４を円筒状に、第２のストッパー部材３４を矩形状に形成することもできる。
【００６８】
本実施例では、スライド部材２０の連結孔２３の内壁に、対向するスライダ２１、２１を形成するものとしているが、スライダ２１を連結孔２３の内壁のいずれか一方の側壁にのみ設けるものとしてもよい（すなわち、１個のスライダのみ形成する）。このとき、ガイドレール部１５を支持部材１０の他端側の一方の側面（本体部１１の両側面のうち、連結孔２３の側壁にスライダ２１が形成されている側）中央部付近にのみ設けておき、スライダ２１をガイドレール部１５に摺動自在に嵌合するとよい（スライド部材２０のスライドをより迅速に行うため）。
【００６９】
また、本実施例では、支持部材１０の他端側両側面（本体部１１の両側面）中央部付近にガイドレール部１５を設けるとともに、連結孔２３の内壁に、対向するスライダ２１、２１を形成するものとしているが、スライド部材２０が連結孔２３を介して、支持部材１０（本体部１１）の長手方向に沿ってスライドするのであれば、ガイドレール部１５及びスライダ２１、２１を設けないように構成することも可能である。
【００７０】
さらに、本実施例では、ボルト部材３０の他端側にボルト部材３０を把持するグリップ部３２を形成するものとしているが、ボルト部材３０を締め付けることで、第１のストッパー部材１４及び第２のストッパー部材３４により、立ち上がり部５１を挟持するとともに、スライド部材２０を支持部材１０の所定の位置で固定することができるのであれば、グリップ部３２を設けないように構成することも可能である。このとき、ボルト部材３０の締め付けは、締付工具を用いて頭部３１を締め付けるようにすればよい。
【００７１】
加えて、本実施例では、ボルト部材３０の頭部３１の二面幅を１７ｍｍに形成するものとしているが、頭部３１の二面幅の寸法はこれに限られるものではない。すなわち、頭部３１の二面幅の寸法は、締付ナット４１の二面幅の寸法に応じて決定される。例えば、締付ナット４１の二面幅が１９ｍｍに形成される場合、頭部３１の二面幅も１９ｍｍに形成されることになる（共通の締付工具を用いて、パイプクランプの締付作業とボルト部材３０の締付作業とを効率的に行うため）。
【００７２】
最後に、本実施例では、挿着部材４０を支持部材１０に回動自在に設けるものとしているが、挿着部材４０に単管パイプ６１を挿着することができるのであれば、必ずしも、挿着部材４０を支持部材１０に回動自在に設ける必要はない。すなわち、この場合、挿着部材４０の向きを固定にした状態（回動しない状態）で、挿着部材４０を支持部材１０に設けることもできる。
【００７３】
このように、本実施例では、本発明の趣旨を逸脱しない範囲で種々の変更が可能であることはいうまでもない。
【符号の説明】
【００７４】
１０    支持部材
１１    本体部
１２    第１屈曲部
１３    第２屈曲部
１４    第１のストッパー部材
１５    ガイドレール部
２０    スライド部材
２１    スライダ
２２    雌ねじ部
２３    連結孔
２４    円形の孔
３０    ボルト部材
３１    頭部
３２    グリップ部
３３    雄ねじ部
３４    第２のストッパー部材
４０    挿着部材
４１    締付ナット
５０    建物の外壁
５１    立ち上がり部
６０    仮設足場
６１    単管パイプ
６２    足場板
７０    支持部材
７１    本体部
７２    第１屈曲部
８０    支持部材
８１    本体部
８２    第１屈曲部
１００  仮設足場用連結器具
２００  仮設足場用連結器具
３００  仮設足場用連結器具
【図１】
2015148120.tif 000003
【図２】
2015148120.tif 000004
【図３】
2015148120.tif 000005
【図４】
2015148120.tif 000006
【図５】
2015148120.tif 000007
【図６】
2015148120.tif 000008
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
建物の外壁と仮設足場とを連結する仮設足場用連結器具において、
該仮設足場を支持するものであって、該建物の外壁における立ち上がり部の上端部に載置される、一端側が屈曲してなる支持部材と、
該支持部材の一端側の端部に設けられ、該立ち上がり部の内面に当接される第１のストッパー部材と、
該支持部材の他端側の端部に設けられ、該仮設足場を該支持部材に挿着する挿着部材と、
該支持部材にスライド可能に連結され、一端に雌ねじ部が形成されるスライド部材と、
該スライド部材の雌ねじ部に螺合可能な雄ねじ部を有し、該雌ねじ部と該雄ねじ部を螺合することで該スライド部材に連結されるボルト部材と、
該ボルト部材の一端側の端部に設けられ、該立ち上がり部の外面に当接される第２のストッパー部材とを備え、
該第１のストッパー部材を該立ち上がり部の内面に当接した状態のまま、該スライド部材を該支持部材の一端方向にスライドさせることによって、該第２のストッパー部材を該立ち上がり部の外面に当接し、該ボルト部材を締付方向に回転させることで、該第１及び第２のストッパー部材により該立ち上がり部を挟持するとともに、該スライド部材を該支持部材の所定の位置で固定するようにしたものであって、
該支持部材の他端側両側面にはガイドレール部が形成されるとともに、
該スライド部材の他端には該ガイドレール部をスライドするスライダが形成されており、
該ボルト部材の他端側に該ボルト部材を把持するグリップ部が形成されていて、
該ボルト部材の頭部の形状が六角であって、該頭部の二面幅が１７ｍｍに形成されるとともに、
該挿着部材には締付ナットが設けられており、
該締付ナットの形状は、二面幅が１７ｍｍの六角に形成されていて、
仮設足場を設置する際には、共通の締付工具を用いて、該ボルト部材の締付作業と該挿着部材の締付ナットの締付作業とを行うことができること
を特徴とする仮設足場用連結器具。
【請求項２】
該挿着部材が該支持部材に回動自在に設けられていることを特徴とする請求項１に記載の仮設足場用連結器具。
【手続補正２】
【補正対象書類名】明細書
【補正対象項目名】０００９
【補正方法】変更
【補正の内容】
【０００９】
請求項１の発明に係る仮設足場用連結器具は、建物の外壁と仮設足場とを連結する仮設足場用連結器具において、該仮設足場を支持するものであって、該建物の外壁における立ち上がり部の上端部に載置される、一端側が屈曲してなる支持部材と、該支持部材の一端側の端部に設けられ、該立ち上がり部の内面に当接される第１のストッパー部材と、該支持部材の他端側の端部に設けられ、該仮設足場を該支持部材に挿着する挿着部材と、該支持部材にスライド可能に連結され、一端に雌ねじ部が形成されるスライド部材と、該スライド部材の雌ねじ部に螺合可能な雄ねじ部を有し、該雌ねじ部と該雄ねじ部を螺合することで該スライド部材に連結されるボルト部材と、該ボルト部材の一端側の端部に設けられ、該立ち上がり部の外面に当接される第２のストッパー部材とを備え、該第１のストッパー部材を該立ち上がり部の内面に当接した状態のまま、該スライド部材を該支持部材の一端方向にスライドさせることによって、該第２のストッパー部材を該立ち上がり部の外面に当接し、該ボルト部材を締付方向に回転させることで、該第１及び第２のストッパー部材により該立ち上がり部を挟持するとともに、該スライド部材を該支持部材の所定の位置で固定するようにしたものであって、該支持部材の他端側両側面にはガイドレール部が形成されるとともに、該スライド部材の他端には該ガイドレール部をスライドするスライダが形成されており、該ボルト部材の他端側に該ボルト部材を把持するグリップ部が形成されていて、該ボルト部材の頭部の形状が六角であって、該頭部の二面幅が１７ｍｍに形成されるとともに、該挿着部材には締付ナットが設けられており、該締付ナットの形状は、二面幅が１７ｍｍの六角に形成されていて、仮設足場を設置する際には、共通の締付工具を用いて、該ボルト部材の締付作業と該挿着部材の締付ナットの締付作業とを行うことができることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
請求項２の発明に係る仮設足場用連結器具は、請求項１に記載の発明に係る仮設足場用連結器具において、該挿着部材が該支持部材に回動自在に設けられていることを特徴とする。
【手続補正７】
【補正対象書類名】明細書
【補正対象項目名】００１６
【補正方法】変更
【補正の内容】
【００１６】
さらに、本発明は、支持部材の他端側両側面にガイドレール部が形成されるとともに、スライド部材の他端にはガイドレール部をスライドするスライダが形成されていることから、第１のストッパー部材と第２のストッパー部材との離間距離を、より迅速に建物の外壁における立ち上がり部の幅寸法に合わせることができる。
【手続補正８】
【補正対象書類名】明細書
【補正対象項目名】００１７
【補正方法】変更
【補正の内容】
【００１７】
加えて、本発明は、ボルト部材の他端側にボルト部材を把持するグリップ部が形成されていることから、作業者は、締付工具を使わずに、容易にボルト部材の締付作業を行うことができる。
【手続補正９】
【補正対象書類名】明細書
【補正対象項目名】００１８
【補正方法】変更
【補正の内容】
【００１８】
最後に、本発明は、ボルト部材の頭部の形状が六角であって、該頭部の二面幅が１７ｍｍに形成されるとともに、挿着部材に設けられる締付ナットの形状が二面幅１７ｍｍの六角に形成されていることから、作業者（仮設足場用連結器具を建物の外壁に連結し、仮設足場を設置する者。以下同じ。）は、仮設足場を構成する単管パイプ（以下、「単管パイプ」という）を相互に連結するパイプクランプ（以下、「パイプクランプ」という）の締付作業の際に使用する工具を用いて、ボルト部材の締付作業を行うことができる。これにより、本発明では、効率よく仮設足場用連結器具を用いて、建物の外壁と仮設足場とを連結することができる（効率よく仮設足場を設置することができる）。
【手続補正１０】
【補正対象書類名】明細書
【補正対象項目名】００１９
【補正方法】変更
【補正の内容】
【００１９】
請求項２に記載の発明は、挿着部材が支持部材に回動自在に設けられていることから、建物の外壁と仮設足場との距離や仮設足場の設計状況等に応じて、柔軟に建物の外壁と仮設足場とを連結させることができる。